(57)【要約】  【課題】  充電中に端末装置と給電装置間で光通信などを行おうとした際に、通信用の半導体などが磁界の影響を受け、通信成功率の低下などの現象が起こりやすくなる。  【解決手段】  給電装置は、外部端末装置の充電用共振手段を電磁誘導により共振させて電流を誘起する充電用発振手段と、前記充電用発振手段に電力を供給する電源供給手段と、前記充電用発振手段の発振を制御する発振制御手段と、端末装置と通信する通信手段とを備え、前記発振制御手段は前記通信手段の通信状態によって発振する磁界の強さを制御する。【選択図】  図１
2005192392.tif 000002
【特許請求の範囲】
【請求項１】
給電装置の充電発振手段による電磁誘導により共振し電流を誘
起する充電用共振手段と、前記給電装置と通信を行う通信手段と、少なくとも前
記通信手段に電力を供給する電池と、前記充電用共振手段が共振動作しているこ
とを検出する共振検出手段と、前記共振検出手段が共振動作を検出したことを受
けて前記電池の電力供給を可能とする電源供給手段とを備え、前記給電装置に載
置され前記電池から前記通信手段に電力が供給されたときに前記給電装置と通信
が可能となる端末装置。
【請求項２】
外部装置と、前記外部装置と通信を行う給電装置と、前記給電
装置の充電発振手段による電磁誘導により共振し電流を誘起する充電用共振手段
と、前記給電装置と通信を行う通信手段と、少なくとも前記通信手段に電力を供
給する電池と、前記充電用共振手段が共振動作していることを検出する共振検出
手段と、前記共振検出手段が共振動作を検出したことを受けて前記電池の電力供
給を可能とする電源供給手段とを備え、前記給電装置に載置され前記電池から前
記通信手段に電力が供給されたときに前記給電装置と通信が可能となる携帯端末
とからなる通信システム。
【発明の詳細な説明】
【技術分野】
【０００１】
本発明は、端末装置および給電装置に関するものであり、特に電磁誘導を利用
した非接触充電方式を用いた端末装置および給電装置に関するものである。
【背景技術】
【０００２】
近年、携帯端末のみならず、コードレス電話、電動歯ブラシなど電池を電源に
用いる製品において防水性の向上や充電端子での短絡などを防止するため、電磁
誘導を用いた非接触式の充電方式が多く用いられるようになってきている。
【発明の開示】
【発明が解決しようとする課題】
【０００３】
充電中に端末装置と給電装置間で光通信などを行おうとした際に、通信用の半
導体などが磁界の影響を受け、通信成功率の低下などの現象が起こりやすくなる
。
【０００４】
本発明は上記のような課題に鑑み、磁界の影響を抑制し充電動作と通信などの
動作を同時に行う携帯端末装置を提供することを目的とする。
【課題を解決するための手段】
【０００５】
上記目的を解決するために、本発明の端末装置は、給電装置の充電発振手段による電磁誘導により共振し電流を誘起する充電用共振手段と、前記給電装置と通信を行う通信手段と、少なくとも前記通信手段に電力を供給する電池と、前記充電用共振手段が共振動作していることを検出する共振検出手段と、前記共振検出手段が共振動作を検出したことを受けて前記電池の電力供給を可能とする電源供給手段とを備え、前記給電装置に載置され前記電池から前記通信手段に電力が供給されたときに前記給電装置と通信が可能となるものである。
【０００６】
また、本発明の通信システムは、外部装置と、前記外部装置と通信を行う給電装置と、前記給電装置の充電発振手段による電磁誘導により共振し電流を誘起する充電用共振手段と、前記給電装置と通信を行う通信手段と、少なくとも前記通信手段に電力を供給する電池と、前記充電用共振手段が共振動作していることを検出する共振検出手段と、前記共振検出手段が共振動作を検出したことを受けて前記電池の電力供給を可能とする電源供給手段とを備え、前記給電装置に載置され前記電池から前記通信手段に電力が供給されたときに前記給電装置と通信が可能となる携帯端末とからなるものである。
【発明の効果】
【０００７】
本発明によれば、発振制御手段により磁界の強さを制御するので、通信中などにおいて磁界の強さを制御し影響を抑えることにより充電と通信を同時に行うことができる。
【発明を実施するための最良の形態】
【０００８】
（実施の形態１）
次に、本発明の第１の実施の形態について、図１と図２を使用して説明する。
【０００９】
図１は本発明の第１の実施の形態における端末装置および給電装置の構成を示
すブロック図である。
【００１０】
図１は同給電装置の発振制御手段の構成図である。
【００１１】
端末装置１が給電装置２に置かれると、端末装置１のデータ処理手段１９と例
えば光通信などの通信手段２０および給電装置２のデータ処理手段２１と通信手
段２２により端末装置１と給電装置２間で通信が行われ、低電圧供給手段２３に
よる充電用発振手段３への電力供給が行われ、発振が始まる。このとき、低電圧
で発振させているため発生する磁界は通信に影響が出ない程度の磁界になる。端
末装置１の充電用共振手段４は電磁誘導により電流を誘起する。誘起された電流
は充電制御手段１６により制御され、電池１７に充電される。
【００１２】
端末装置１と給電装置２間で必要なデータについて通信を終えると、給電装置
２は高電圧供給手段２３から充電用発振手段３への電力供給に切換える。このと
き発生する磁界は低電圧の時より強くなるため、端末装置１の得られる電流も大
きくなり、通信中の時より急速に充電を行うことができる。
【００１３】
このように充電中の磁界の強さを制御するので、通信中などにおいて磁界の強
さを制御し影響を抑えることにより、充電動作と通信動作などを同時に行うこと
ができ、通信が終わると急速充電を行うことができる。
【００１４】
なお本実施の形態では端末装置１と給電装置２間での通信を例としているが、
例えば端末装置１に無線通信手段が備えてあり、充電中に給電装置２以外の無線
通信手段を備えている装置との間で無線通信を行う場合にも、上記と同様磁界の
強度を変えることにより無線への磁界の影響を抑え、充電動作と無線通信を同時
に行うことができる。
【００１５】
なお、磁界の強さを変えることによって温度上昇も変化するので、例えば、冬
季には高電圧による充電を行い、温度上昇の厳しい夏期には低電圧による充電を
行うなど、季節・時間・場所などによって充電時の磁界の強さを変更することも
できる。
（実施の形態２）
次に、本発明の第２の実施の形態について、図３を使用して説明する。
【００１６】
図３は本発明の第２の実施の形態における端末装置および給電装置の構成を示
すブロック図である。
【００１７】
発振が始まるまでの動作は第１の実施の形態と同様のため説明を省略する。デ
ータ処理手段１９や通信手段２０などへの電池１７からの電力供給をＯＮ／ＯＦ
Ｆする電源ＯＮ／ＯＦＦ手段２５がＯＦＦの状態での端末装置１が給電装置２に
置かれると、給電装置２の発振が始まる。端末装置１の充電用共振手段４が共振
すると、充電制御手段１６に電流を供給すると同時に、共振検出手段２６によっ
て共振が始まったことを検出する。共振検出手段２６は、データ処理手段１９や
通信手段２０などへの電池１７からの電力供給をＯＮ／ＯＦＦする電源ＯＮ／Ｏ
ＦＦ手段２５をＯＮ動作し、データ処理手段１９や通信手段２０などが動作し始
め、端末装置１と給電装置２間との通信が始まる。
【００１８】
さらに具体的な例を説明する。
【００１９】
端末装置１内に蓄積したデータを給電装置２を通して他のコンピュータなどへ
通信する場合に、作業者は端末装置１の電源ＯＮ／ＯＦＦ状態を気にすることな
く給電装置２に置く。給電装置２に置かれた端末装置１は上記動作により自動的
に電源ＯＮ状態になり、給電装置２を通してコンピュータへデータの送信を始め
る。データの送信を終了すると、端末装置１は自動的に電源をＯＦＦする。この
間も給電装置からの電磁誘導による電力供給は行われている。
【００２０】
このように、電源がＯＦＦの状態で端末装置１側で給電装置２に置かれたこと
を検出することができ、また検出に物理的なスイッチなどを必要とせず、端末装
置１の防水性を向上させデザインの自由度を向上させることができる。
【産業上の利用可能性】
【００２１】
本発明は、電磁誘導を利用した非接触充電方式を用いた端末装置および給電装置に利用でき、通信中などにおいて磁界の強さを制御し影響を抑えることにより充電と通信を同時に行うことができる。
【図面の簡単な説明】
【００２２】
【図１】本発明の第１の実施の形態における端末装置および給電装置の構成を示すブロック図
【図２】同給電装置の発振制御手段の構成図
【図３】本発明の第２の実施の形態における端末装置および給電装置の構成を示すブロック図
【符号の説明】
【００２３】
１  端末装置
２  給電装置
３  充電用発振手段（発振用コイル）
４  充電用共振手段（共振用コイル）
１５  電源供給手段
１６  充電制御手段
１７  電池
１８  発振制御手段
１９  端末装置のデータ処理手段
２０  端末装置の通信手段
２１  給電装置のデータ処理手段
２２  給電装置の通信手段
２３  低電圧供給手段
２４  高電圧供給手段
２５  電源ON/OFF手段
２６  共振検出手段
【図１】
2005192392.tif 000003
【図２】
2005192392.tif 000004
【図３】
2005192392.tif 000005